Podtech/llm-jp-corpus-v4-ja_patent huggingface dataset:
(57)【要約】      （修正有）【課題】病人や身障者を搬送する際に、階段を利用しての搬送や凹凸のある悪路での搬送にも使用できるストレッチャーを提供する。【解決手段】ストレッチャーは、身体載置部を上部に、昇降装置を下部に備えたフレームを備え、フレームの両側部には、一対の大径のゴム製タイヤが両端に取り付けられた車軸部を、昇降装置の昇降動作に連動して昇降させるためのガイド部が設けられている。タイヤが、昇降装置の昇降動作に連動して昇降するので、最上部まで上がった場合に、ストレッチャーの下部が接地した状態になり、階段等を滑走させて移動できる。【選択図】図１
0003224428.tif 000002
【実用新案登録請求の範囲】
【請求項１】
身体載置部を上部に、昇降装置を下部に備えたフレームであって、前記フレームの両側部には、前記昇降装置の作用部と結合され、一対のタイヤが両端に取り付けられた車軸部が、前記昇降装置の昇降動作に連動して昇降するための一対のガイド部が設けられ、前記車軸部が前記昇降装置により最上部まで上がった場合に、前記フレームの下部が接地した状態になることを特徴とするストレッチャー。
【請求項２】
前記タイヤは、ゴム製のタイヤであり、外径の大きさが２０インチから２８インチであることを特徴とする請求項１に記載のストレッチャー。
【考案の詳細な説明】
【技術分野】
【０００１】本考案は、歩行不能な病人や身障者等の被介護者を載せて移動搬送するためのストレッチャーに関する。
【背景技術】
【０００２】自然災害、事故、テロ等は突然発生し、かつ予測不能であるため、危機管理能力を超える事態が発生した場合に、避難や救助を如何に迅速に対応できるかが重要であり、病人や負傷者等を最小限の人員で安全に効率よく搬送することが求められる。【０００３】また、緊急時には、病院や介護施設等の建物内の備え付けのエレベーターが停電により停止した場合、病人や負傷者等の搬送は、階段を利用して最小限の人員で安全に非難する必要がある。そこで、ストレッチャーが使用されるのだが、従来のストレッチャーは、平坦な場所での移動は問題ないが、階段を利用しての搬送には使用できない問題がある。そのため、階段でも使用できるストレッチャーが求められている。
【先行技術文献】
【特許文献】
【０００４】
【特許文献１】実用新案登録第３１１６００５号
【特許文献２】実用新案登録第３２０４３２３号
【考案の概要】
【考案が解決しようとする課題】
【０００５】従来のストレッチャーは、先行技術文献にも開示されているように、ストレッチャーに装着されたタイヤや車輪のサイズは小径のため、平坦な床や道路上での移動は容易であるが、凹凸のある悪路やぬかるみ地や草地では、小径のタイヤや車輪がうまく回転せず、使用には適さなかった。また、ある程度大径のタイヤを装備していても、階段の上り下りを従来のストレッチャーを利用して行うことは、ほとんど不可能であった。
【課題を解決するための手段】
【０００６】上記課題を解決するために、本考案のストレッチャーは、身体載置部を上部に、昇降装置を下部に備えたフレームであって、前記フレームの両側部には、前記昇降装置の作用部と結合され、一対のタイヤが両端に取り付けられた車軸部が、前記昇降装置の昇降動作に連動して昇降するための一対のガイド部が設けられ、前記車軸部が前記昇降装置により最上部まで上がった場合に、前記フレームの下部が接地した状態になることを特徴とする。【０００７】また、前記タイヤは、ゴム製のタイヤであり、外径の大きさが好ましくは２０インチから２８インチである。
【考案の効果】
【０００８】本考案のストレッチャーによれば、身体載置台が昇降装置の昇降動作に連動して水平状態を維持しながら昇降し、身体載置台が最上部まで上がった場合に、前記架台が接地した状態になるため、階段部分を移動する際に、階段の蹴上部の高さが大きい場合には、この状態で架台のみが階段部分を滑走することにより、階段のある場所でもストレッチャーによる移動が可能になる。
【図面の簡単な説明】
【０００９】
【図１】本考案のストレッチャーの外観を示す模式図である。
【図２】本考案のストレッチャーの架台が接地した状態の側面図である。
【図３】本考案のストレッチャーのタイヤが接地した状態の側面図である。
【考案を実施するための形態】
【００１０】本考案に関するストレッチャーの一実施態様について以下に説明する。
【実施例】
【００１１】図１は本考案のストレッチャーの外観を示す模式図である。図１において、１は金属製のパイプが溶接されて形成されたフレームであり、該フレーム１の上面には身体載置部２が、下面３には電動ジャッキ等の昇降装置４が固定されている。また、フレーム１の両側部には一対のガイド部７が取り付けられている。前記ガイド部７には、その両端にゴム製のタイヤ６が取り付けられた車軸５が鉛直方向に移動可能に嵌装されており、前記車軸５の中央部に前記昇降装置４の作用部４ａが当接している。また、前記フレーム１の上面の一方向には、ストレッチャーを移動させるための把持部８が前記身体載置部２の一部を延長した形で設けられている。【００１２】図２は本考案のストレッチャーの架台が接地した状態を示し、図３は本考案のストレッチャーのタイヤが接地した状態を示す各側面図である。図２において、図示せぬ電動モータ等により前記昇降装置４が伸長すると、これに伴い前記車軸５がガイド部７に沿ってリフトアップされるため、前記車軸５に取り付けられたタイヤ６も上方に持ち上がる。すると、前記フレーム１の下面３が相対的に下がることにより、前記下面３が接地した状態になる。この状態の場合には、前記下面３を設置させたままストレッチャー１を移動させることができるので、階段等の段差のある場所でも人をストレッチャーに載せて搬送することができる。【００１３】図３において、図示せぬ電動モータ等により前記昇降装置４を屈曲させると、これに伴い前記車軸５がリフトダウンされ車軸５に取り付けられたタイヤ６も下降して、相対的に前記フレーム１の下面３が上昇することにより、タイヤ６が接地した状態になる。この状態の場合には、ストレッチャー１を通常の平面路を移動させることができるとともに、２０乃至２８インチの大径のゴム製のタイヤ６を使用することにより、多少の凹凸のある悪路でも無理なく人をストレッチャーに載せて搬送することができる。
【産業上の利用可能性】
【００１４】本考案のストレッチャーは災害時等の緊急の場合に、病人や身障者を素早く搬送する必要がある際に利用されるものである。
【符号の説明】
【００１５】１  ストレッチャー
２  身体載置部
３  下面
４  昇降装置
４ａ  作用部
５  車軸
６  タイヤ
７  ガイド部
８  把持部
【図１】
0003224428.tif 000003
【図２】
0003224428.tif 000004
【図３】
0003224428.tif 000005
(57)【要約】      （修正有）【課題】運動のし易さの向上などの機能面に問題がなく、かつ歴史的・伝統的衣装である五倫五常を由来とする形状が継承された五本襞を備えたたっつけ袴を提供する。【解決手段】たっつけ袴の前面に備えられた襞の本数を、本来の袴と同じく五本とした。【選択図】図１
0003224421.tif 000002
【実用新案登録請求の範囲】
【請求項１】
前面に五本の襞を有する五輪五常仕様たっつけ袴。
【考案の詳細な説明】
【技術分野】
【０００１】  本考案は袴の派生型である、たっつけ袴という歴史的・伝統的な衣類に関する。
【技術背景】
【０００２】  日本の伝統的な衣装の中に袴がある。本来の袴には前面に襞があり、数が五本と定められている。この数は五倫五常という歴史的な道徳の教えに由来するものである。
本考案に関連するたっつけ袴とは、上記の袴をより運動のし易いように形状変更したものである。
【考案が解決しようとする課題】
【０００３】  従来のたっつけ袴は運動のし易さの向上などの機能面に問題ないものの本来の袴の五本の襞が継承されてはおらず、歴史的・伝統的衣装であるにも関わらず五倫五常を由来とする歴史的・伝統的に定義された形状が継承されていない。また、制作の煩雑さ等の理由からも五本襞を備えたたっつけ袴は製品として存在しない。
【課題を解決するための手段】
【０００４】  たっつけ袴の前面に備えられた襞の本数を、本来の袴と同じく五本としたもの。これにより上記の課題を解決する手段とする。
【考案の効果】
【０００５】  従来のたっつけ袴には前面に備えた襞の本数が五本と定められたものが制作の煩雑さ等の理由からも存在せず、運動性と制作の簡易性の向上のために襞の数を多くしたものが一般的であり、本来の袴に備えられた五倫五常由来の五本の襞を備えておらず、歴史的・伝統的衣装であるにも関わらず歴史・伝統を継承しているとは言い難いものであった。
【考案を実施するための最良の形態】
【０００６】  たっつけ袴の前面に備えた襞の数を五本としたもの。
【図面の簡単な説明】
【０００７】
【図１】前面図
【図１】
0003224421.tif 000003
(57)【要約】      （修正有）【課題】チェーンソーで直径３０cm以上の太い木の切断に使用してもソーチェーンへのオイル切れが起こらないように工夫されたチェーンソー給油装置を提供する。【解決手段】林業ハーベスターにおけるチェーンソー給油装置１０であって、オイルタンク１１とチェーンソー２のソーチェーンを案内するガイドバーの案内溝との間のオイル供給路１２に電動ポンプ１３を設け、チェーンソー２の作動と同時に電動ポンプ１３を作動してチェーンソーの稼働中オイルをソーチェーンに絶えず供給する。【選択図】図２
0003224481.tif 000002
【実用新案登録請求の範囲】
【請求項１】
林業ハーベスターにおけるチェーンソー給油装置であって、オイルタンクとチェーンソーのソーチェーンを案内するガイドバーの案内溝との間のオイル供給路に電動ポンプを設け、チェーンソーの作動と同時に電動ポンプを作動してチェーンソーの稼働中オイルをソーチェーンに絶えず供給するようにしたチェーンソー給油装置。
【考案の詳細な説明】
【技術分野】
【０００１】
本考案は、林業ハーベスターにおけるチェーンソーのソーチェーンにチェーンソー用オイル(以下、オイルと称する)を給油する装置、特に、チェーンソーの稼働中オイルをソーチェーンに供給するチェーンソー給油装置に関する。
【背景技術】
【０００２】
従来のチェーンソー給油装置は、チェーンソーの稼働中、チェーンソーのソーチェーンを案内するガイドバーの案内溝とソーチェーンとの摩擦接触による磨耗を回避するためにオイルを計量バルブにより２ccないし４cc程ソーチェーンに供給するようになっている。木材の直径が３０cmより大きいと、木材の切断途中でソーチェーンに対してオイル切れが起こり、そのため、ソーチェーンとガイドバーの案内溝との摩擦接触により、ソーチェーンとガイドバーの案内溝が摩擦熱を発し、ときとして焼きつき現象が起こり、ソーチェーンが破損することがある。ソーチェーンは、ガイドバーの周りを秒速４０mのスピードで走行しているので、ソーチェーンが切れて、その破片が５０m以上に飛散することがある。加えて、ガイドバーが異常に磨耗してガイドバーの先端のスプロケットが破損することがあり、さらに切断中の木材がガイドバーとソーチェーンとの摩擦熱により焦げることがある。
【考案の概要】
【考案が解決しようとする課題】
【０００３】
本考案は、チェーンソーで直径３０cm以上の太い木の切断に使用してもソーチェーンへのオイル切れが起こらないように工夫したチェーンソー給油装置を提供することを課題とするものである。
【課題を解決するための手段】
【０００４】
本考案によれば、この課題は、林業ハーベスターにおけるチェーンソー給油装置であって、オイルタンクとチェーンソーのソーチェーンを案内するガイドバーの案内溝との間のオイル供給路に電動ポンプを設け、チェーンソーの作動と同時に電動ポンプを作動してチェーンソーの稼働中オイルをソーチェーンに絶えず供給するようにしたチェーンソー給油装置を提供することによって達成される。
【図面の簡単な説明】
【０００５】
【図１】チェーンソーを装着した林業ハーベスターをその後端側から見た全体の斜視図である。
【図２】本考案によるチェーンソー給油装置の全体斜視図である。
【図３】チェーンソーの概略図である。
【図４】図３のＢ−Ｂ線におけるチェーンソーのガイドバーの断面図である。
【考案を実施するための形態】
【０００６】
図１を参照すると、林業ハーベスター１は不成就に装着されたチェーンソー２を備えている。林業ハーベスター１は，林業業界でよく知られているように、立ち木を切り倒し、その木を、枝があればそれを枝払いしながら所定長さ前進させ、しかる後切断して丸太として収穫する機械である。立ち木の切り倒しおよび木の定寸切断は、チェーンソー２を、作動状態において、ハーベスター本体に装着された油圧シリンダー３の作動(収縮)によりリンク４を介して格納位置から時計回りにスイングさせることによって行われる。その反対に、チェーンソーを伸張位置から格納位置に向かって反時計回りにスイングさせてもよい。図１および図２は、チェーンソー２が格納位置から切断方向にスイングしている様子を示している。切断後作動を停止したチェーンソー２は、油圧シリンダー３の作動(伸張)により反時計回りにスイングさせて元の位置に納める。本実施形態では、チェーンソー２は、ハーベスター１の後端側で、左寄りに配置されているが、右寄りに配置してもよい。この場合には、チェーンソーを格納位置から反時計回りにスイングさせ、切断後は時計回りにスイングさせることになる。
【０００７】
チェーンソー２は、図３に示すように、モータ５'により回転駆動される駆動スプロケット５と、ガイドバー６の先端の従動スプロケット７と、駆動スプロケット５と従動スプロケット７とに掛け渡され、駆動スプロケット５の回転によりガイドバー６の周りを走行するようになったソーチェーン８と、を含み、ソーチェーン８の走行は、ガイドバー６の案内溝９によって案内される(図４参照)。
【０００８】
本考案によるチェーンソー給油装置１０は、図１および図２に示すように、ハーベスター本体に装着されたオイルタンク１１と、上述したように、チェーンソー２のソーチェーン８を案内するガイドバー６の案内溝９との間のオイル供給路１２に設けられた電動ポンプ１３と、を含む。図３および４に示すように、オイル供給路１２は、ガイドバー６の、駆動スプロケット５に近い箇所に設けられた横穴１４に通じるようになっていて、そこから供給穴１５が縦向きに延びて案内溝９に通じている。なお、ソーチェーンへの給油に関わるバーガイドバー６の案内溝９に至るオイル供給路の具体的な構成は、在来のハーベスターにおけると同様であって公知でるから、その詳細な説明は省略する。
【０００９】
チェーンソー２は、木の切断にあたり、先に述べたように、ソーチェーン８がモータ５'により駆動され、油圧シリンダー３の作動で時計回りにスイングする。電動ポンプ１３は、モータ５'によるチェーンソー２の作動と同時に作動され、かくして、チェーンソー２の稼働中オイルをオイルタンク１１から引き出して供給穴１５を経てガイドバー６の案内溝９に、そしてソーチェーン８に供給する。オイルの供給量は、毎秒１cc程度が望ましく、それ以上は、無駄な消費として好ましくない。チェーンソー２による木の剪断が終了すると、チェーンソーの作動は停止され、同時に電動ポンプも作動を停止するようになっている。
【００１０】
本考案によれば、上記のように、チェーンソーには、その稼働中オイルが適量供給されるから、直径３０cm以上６０cm位までの太い木でも、何ら支障なく切断することができる。
【図１】
0003224481.tif 000003
【図２】
0003224481.tif 000004
【図３】
0003224481.tif 000005
【図４】
0003224481.tif 000006
(57)【要約】      （修正有）【課題】パック詰めされた製品のラップを剥がす時、ラップに切り目を入れて剥がしやすくする、ラップパック製品用ラップカッターを提供する。【解決手段】ホルダー３と刃体４が軸支結合されており、刃体の刃尖頭部６をパック詰めされた製品のラップに突き刺し、そのまま切刃部５を押し進めることで、ラップに切り目を入れるという形で使用され、動物キャラクター型の場合は非使用時には専用スタンドに立て置く形で収納する。【選択図】図２
0003224420.tif 000002
【実用新案登録請求の範囲】
【請求項１】
ホルダーと刃体で成るカッター本体において、刃体を閉じた時に刃体の切刃部がホルダーの細長凹溝に収まる形で、刃体の根元部がホルダーの一端側で軸支結合してあり、刃体は約２０°角度で開閉し、切刃部の先端は円やかな小彎曲カーブ状にホルダー側へ屈曲して刃尖頭部を成し、容器外周をくるんでピンと張ったラップを刃尖頭部の尖端で簡単に突き破ることによって最初の切れ目を入れることができ、そのまま切刃部を押し進めるだけでラップの切り裂き作業がスムーズに進行できることを特徴とするラップパック製品用ラップカッター。
【請求項２】
本考案本体動物キャラクター型を立て置くための専用スタンドであって、台盤の一端側縁際沿いに数ミリ高さの小さなリブ状の位置決めダボが設けてあり、対向する他端寄りの位置に、位置決めダボに直交する方向に細長く、位置決めダボより少し高く立ち上がった垂直安定板が設けてあることを特徴とする、請求項１に記載のラップパック製品用ラップカッター。
【考案の詳細な説明】
【技術分野】
【０００１】  本考案は、パック詰めされた製品のラップを剥がす時、ラップに切り目を入れて剥がしやすくする、ラップパック製品用ラップカッターに関するものである。
【背景技術】
【０００２】  従来、パック詰めされた製品のラップを剥がす時、密着したラップの合わせ面を手で引き剥がしていた。
【考案の概要】
【考案が解決しようとする課題】
【０００３】  そのため、次のような問題点があった。
パック詰めされた製品のラップは粘着性に優れ、よく伸びるので、手で剥がそうとしても密着して剥がれず、破ろうとしても簡単に破れなくて、無理やり破ろうとすると反動で中身が飛び出し、溢すことがある。
本考案は、これらの問題点を解決するためになされたものである。
【課題を解決するための手段】
【０００４】  ホルダーと刃体で成るカッター本体において、刃体を閉じた時に刃体の切刃部がホルダーの細長凹溝に収まる形で、刃体の根元部がホルダーの一端側で支軸で軸支結合してあり、刃体は約２０°角度で開閉し、切刃部の先端は円やかな小彎曲カーブ状にホルダー側へ屈曲して刃尖頭部を成し、容器外周をくるんでピンと張ったラップを刃尖頭部の尖端で簡単に突き破ることによって最初の切れ目を入れることができ、そのまま切刃部を押し進めるだけでラップの切り裂き作業がスムーズに進行できる。
なお、ペンギンの様な動物キャラクター型の場合は、それを立て置くための専用スタンドが付属するが、専用スタンドは、台盤の一端側縁際沿いに約２〜３ミリ高さの小さなリブ状の位置決めダボが設けてあり、対向する他端寄りの位置に、位置決めダボに直交する方向に細長く約１０ミリ長さで、位置決めダボより少し高く数ミリ高さで立ち上がった垂直安定板が設けてある。
以上を特徴とするラップパック製品用ラップカッターである。
【考案の効果】
【０００５】  パック詰めされた製品のラップに本考案の刃尖頭部を突き刺し、そのまま本考案を押し進めることで、剥がしづらく、破れにくいラップも安定して、簡単に切り裂くことができ、楽にラップを剥がすことができるので、パックの中身を溢すようなこともなくなる。
【図面の簡単な説明】
【０００６】
【図１】  本考案本体の斜視図
【図２】  本考案本体において刃体を開いた状態を示す斜視図
【図３】  本考案本体の実施例を示す斜視図
【図４】  図３に示された本考案本体の実施例において、刃体を開いた状態を示す斜視図
【図５】  本考案の一部である専用スタンドの斜視図
【図６】  本考案の実施例において、本体を専用スタンドに立て置いた状態を示すイメージ図
【図７】  本考案を利用して、刃尖頭部をラップに突き刺してカットしようとする状態を示すイメージ図
【図８】  図７に示された本考案の使用状態において、更にカット作業を進めた状態を示す斜視図
【考案の実施をするための形態】
【０００７】  以下、本考案の実施の形態と使用法を説明する。
ホルダー（３）と刃体（４）で成るカッター本体（１）において、刃体（４）を閉じた時に刃体（４）の切刃部（５）がホルダー（３）の細長凹溝に収まる形で、刃体（４）の根元部がホルダー（３）の一端側で支軸（８）で軸支結合してあり、刃体（４）は約２０°角度で開閉し、切刃部（５）の先端は円やかな小彎曲カーブ状にホルダー（３）側へ屈曲して刃尖頭部（６）を成し、容器外周をくるんでピンと張ったラップを刃尖頭部（６）の尖端（７）で簡単に突き破ることによって最初の切れ目を入れることができ、そのまま切刃部（５）を押し進めるだけでラップの切り裂き作業がスムーズに進行できる。
なお、ペンギンの様な動物キャラクター型の場合は、それを立て置くための専用スタンド（２）が付属するが、専用スタンド（２）は、台盤（９）の一端側縁際沿いに約２〜３ミリ高さの小さなリブ状の位置決めダボ（１０）が設けてあり、対向する他端寄りの位置に、位置決めダボ（１０）に直交する方向に細長く約１０ミリ長さで、位置決めダボ（１０）より少し高く数ミリ高さで立ち上がった垂直安定板（１１）が設けてある。
ラップパック製品（Ｍ）のラップを切る時は、図７に示すようにパックのコーナー部にできるラップの撓み部分に刃尖頭部（６）を突き刺し、図８に示すように切刃部（５）をパックの側面に沿わせるようにして、本体（１）を押し進めればよい。
刃体（４）の先端を刃尖頭部（６）にすることで、本体（１）を押し進める時、刃尖頭部（６）がラップに引っかかる形になるので、切刃部（５）でカットされたラップの切断部から切刃部（５）が外れることがなく、安定してラップを切り進めることができる。
刃体（４）の開口幅は狭いので、刃尖頭部（６）で手を突き刺したり、切刃部（５）で手を切る危険はない。
ペンギンの様な動物キャラクター型の場合は、図６に示すように非使用時に専用スタンド（２）に立て置く形で収納できる。
【符号の説明】
【０００８】    １  本体
２  専用スタンド
３  ホルダー
４  刃体
５  切刃部
６  刃尖頭部
７  尖端
８  支軸
９  台盤
１０  位置決めダボ
１１  垂直安定板
Ｍ  ラップパック製品
【図１】
0003224420.tif 000003
【図２】
0003224420.tif 000004
【図３】
0003224420.tif 000005
【図４】
0003224420.tif 000006
【図５】
0003224420.tif 000007
【図６】
0003224420.tif 000008
【図７】
0003224420.tif 000009
【図８】
0003224420.tif 000010
(57)【要約】      （修正有）【課題】逆流防止機能付バルブ付きのカプラーソケットを用いることで、場所と人数の制限なく、トレーニングを効率的に行うことができる空圧式トレーニング機器を提供する。【解決手段】空圧式トレーニング機器本体１と送空チューブ３を繋ぐためと、送空チューブ３とカフ５と繋がっているカフチューブ４を繋ぐための逆流防止機能付バルブ付きカプラーソケット２に付いているバルブ２ａを捻ることで、空気の逆流を防ぎ、離れた場所でのトレーニングを可能とし、且つ、多人数での同時トレーニングを行えるようになり、効率的なトレーニングに役立つ。【選択図】図１
0003224418.tif 000002
【実用新案登録請求の範囲】
【請求項１】
空気圧を調整するカプラーソケットを逆流防止機能を付けたバルブ付きにすることで、送空チューブと身体に巻き付けるカフに付いているカフチューブを切り離しても、カフチューブから空気が抜けないようにすることを特徴とした、空圧式トレーニング機器。
【考案の詳細な説明】
【技術分野】
【０００１】  本考案は、逆流防止機能を付けたバルブ付きカプラーソケットを用いた、空圧式トレーニング機器に関するものである。
【背景技術】
【０００２】  空圧式トレーニングを行う際に、機器本体と空気を送るチューブ、身体に巻きつけるカフは常に繋いだままであった。
【考案の概要】
【考案が解決しようとする課題】
【０００３】  常にトレーニング中は機器本体と空気を送るチューブ、身体に巻きつけるカフは常に繋いだままで行う必要があり、一人ずつしかトレーニングが出来ない。また、機器から離れた所でのトレーニングが行えず、トレーニング内容も限定的となり、効率的なトレーニングが難しい。従って、空気が抜けない逆流防止機能を付けたバルブ付きカプラーソケットを用いることで、前述の欠点を解決しようとするものである。
【課題を解決するための手段】
【０００４】  本考案は、機器本体から空気を送るチューブと身体に巻きつけるカフを繋ぐカプラーソケットを逆流防止機能を付けたバルブ付きカプラーソケットを用いることで問題点を解決している。
【考案の効果】
【０００５】  上述の様に、本考案の逆流防止機能付空圧式トレーニング機器は、逆流防止機能を付けたバルブ付きカプラーソケットを用いるので、機器から離れてのトレーニングが可能となり、場所を限定されずにトレーニングが可能となる。また、一人だけでなく、同時に複数人のトレーニングも可能となる事から、効率的なトレーニングも可能となる。
【図面の簡単な説明】
【０００６】
【図１】逆流防止機能付空圧式トレーニング機器の一実施例を示す正面図である。
【考案を実施するための形態】
【０００７】  機器本体から空気を送るチューブと身体に巻きつけるカフとの接続に用いるカプラーソケットを逆流防止機能を付けたバルブ付きカプラーソケットに変更する。
【実施例】
【０００８】  以下添付図面に従って一実施例を説明する。１は空圧式トレーニング機器本体、２は空気の逆流を防ぐための逆流防止機能付バルブ付きカプラーソケットで、空圧式トレーニング機器本体１と送空チューブ３を繋ぐための物と、送空チューブ３とカフ５と繋がっているカフチューブ４を繋ぐための物がある。【０００９】  このうち、送空チューブ３とカフチューブ４を繋いでいる逆流防止機能付バルブ付きカプラーソケット２のバルブ２ａを捻ることで、空気が抜ける事を防ぎ、カフ５とカフチューブ４、逆流防止機能付バルブ付きカプラーソケット２のみでも空気圧が入ったままの状態を作れる。従って、空気を抜きたい時には、バルブ２ａを再度捻ることで抜くことで空気が抜ける。
【符号の説明】
【・・・・】
１  空圧式トレーニング機器本体
２  逆流防止機能付バルブ付きカプラーソケット
３  送空チューブ
４  カフチューブ
５  カフ
【図１】
0003224418.tif 000003
(57)【要約】      （修正有）【課題】出力調整の際に部位の判別に時間が掛からなくするために、部位の判別を容易にする色分けを行い、判別を容易に行う部位判別簡易機能付ＥＭＳ機器を提供する。【解決手段】ＥＭＳ機器本体１にある、出力調整ツマミ２の色を灰色、黄色、緑色、オレンジ色に分け、本体に接続するパッドコード３の色をそれぞれ接続する出力調整ツマミの色と対応させることで、施術時の部位の判別を容易にし、時間短縮を図るとともに、誤った部位の出力を上げることも防止するのに役立つ。【選択図】図１
0003224417.tif 000002
【実用新案登録請求の範囲】
【請求項１】
ＥＭＳ機器本体にある、出力を調整するツマミの色を４色に分けるとともに、本体に接続するパッドコードの色もそれぞれのツマミの色に対応するようにし、身体に貼ったパッドの部位の判別と該当部位の出力調整を簡潔にしたところを特徴とする部位判別簡易機能付ＥＭＳ機器
【考案の詳細な説明】
【技術分野】
【０００１】  本考案は、出力調整を行うツマミの色と本体に接続するパッドコードの色をそれぞれ対応する色に合わせた、ＥＭＳ機器に関するものである。
【背景技術】
【０００２】  出力調整を行うツマミと本体に接続するパッドコードの色が無い場合、身体に貼るパッドの枚数が多いほど、身体の部位に対応するパッドコードがどの部分かという判別が分かりにくく、出力調整に手間がかかってしまっていた。
【考案の概要】
【考案が解決しようとする課題】
【０００３】  施術中に出力調整を行う際に、身体に貼っているパッドと対応する出力調整ツマミを探すのが時間的、労働的負担である。従って、出力調整ツマミとパッドコードの色を分けて対応させることで、ひと目でパッドと対応する出力調整ツマミを判別できるようにし、前述の欠点を解決しようとするものである。
【課題を解決するための手段】
【０００４】  本考案は、ＥＭＳ機器本体にある出力調整ツマミの色を４色に分け、ＥＭＳ機器本体と身体に貼るパッドを繋ぐパッドコードの色を出力調整ツマミの色と対応させることで、問題点を解決している。
【考案の効果】
【０００５】  上述の様に、本考案の部位判別簡易機能付ＥＭＳ機器は、ＥＭＳ機器本体にある出力調整ツマミの色を４色に分けるだけでなく、ＥＭＳ機器本体と身体に貼るパッドを繋ぐパッドコードの色を出力調整ツマミの色と対応させることで、パッドと出力調整ツマミを繋ぐパッドコードを確認する手間が無くなるので、間違えて別のパッドの強さを上げることを防止することにも役立つ。
【図面の簡単な説明】
【０００６】
【図１】本考案の部位判別簡易機能付ＥＭＳ機器の一実施例を示す正面図である。
【考案を実施するための形態】
【０００７】  ＥＭＳ機器本体の出力調整ツマミの頭の色をそれぞれ灰色、黄色、緑色、オレンジ色の４色に分ける。また、それに伴い本体に接続するパッドコードの色もそれぞれ灰色、黄色、緑色、オレンジ色に分ける。それぞれの出力調整ツマミの色に合わせて、パッドコードを本体に接続する。
【実施例】
【０００８】  以下、添付図面に従って一実施例を説明する。１はＥＭＳ機器本体、２は各部位ごとの出力調整ツマミとなり、この部分の頭の色を変えていく。３は機器本体に接続するパッドコードとなり、このコードをそれぞれ接続する出力調整ツマミの色と対応させていく。【０００９】  ２ａの出力調整ツマミの色を灰色とし、そこに接続する３ａのパッドコードの色も灰色とする。その後も同様に、２ｂの出力調整ツマミの色を黄色とし、３ｂのパッドコードの色も黄色とする。２ｃの出力調整ツマミの色を緑色とし、３ｃのパッドコードの色も緑色とする。２ｄの出力調整ツマミの色をオレンジ色とし、３ｄのパッドコードの色もオレンジ色とする。
【符号の説明】
【００１０】１  ＥＭＳ機器本体
２  出力調整ツマミ
３  パッドコード
【図１】
0003224417.tif 000003
(57)【要約】      （修正有）【課題】店舗等の受付台を活用して、その中に情報機器ならびに配線がスッキリ収まるようにして、保守管理を楽にすると同時に、拡張も可能な受付台を提供する。【解決手段】受付台Ａ・Ｂ内に、電源とネットワーク接続のための電源コンセントＩとＬＡＮハブＪを内蔵して、受付台内で情報機器の設置配線が可能なようにすると同時に、受付台Ｂを拡張して行く場合の中継機能を持たせて、電源ＥとＬＡＮ（Ｆ）の接続が可能なようにする。【選択図】図１
0003224501.tif 000002
【実用新案登録請求の範囲】
【請求項１】
受付台（Ａ・Ｂ）の中に電源コンセント（Ｉ）と、ＬＡＮハブ（Ｊ）を（図１）のように内蔵すると同時に、受付台（Ａ）で受けた電源（Ｃ）とＬＡＮ（Ｄ）を拡張受付台（Ｂ）に電源（Ｃ）とＬＡＮ（Ｄ）を中継できること。
【請求項２】
受付台の前面（Ｇ）を開閉可能なようにする事により、情報機器の裏面に設けられている電源コンセント（Ｉ）等への各種接続操作が簡単に出来るようにすると同時に、情報機器の取り外し等の、保守管理が楽にできるようにしていること。
【請求項３】
受付台の後面（Ｈ）の、ＬＡＮハブ（Ｊ）で、回線状況が把握できると同時に、共有するＬＡＮハブ（Ｊ）以外は、受付台ごとに電源スイッチ（Ｋ）でオンオフできること。
【考案の詳細な説明】
【技術分野】
【０００１】本考案は、情報機器の設置保守が簡単にできるようにするため、店舗等の受付台等の中に電源やＬＡＮ回線を組み込むようにしたものである。
【背景技術】
【０００２】従来は、情報機器の裏側は、電源やＬＡＮ回線等が煩雑になりがちであった。
【考案の概要】
【考案が解決しようとする課題】
【０００３】狭い店舗等に情報機器を設置する場合、インテリジェント対応でない建物の場合は、電源やＬＡＮ回線が煩雑になり、見た目も悪く、情報機器の故障等にともなう保守点検も、やりにくい等の問題があり、この問題を解決したものである。
【考案が解決するための手段】
【０００４】各種情報機器を効率的に設置するため、店舗の受付台等の中に電源とＬＡＮ回線を組み込み、受付台等の内部だけに余分なケーブルも含めて格納できるようにすると同時に、電源とＬＡＮ回線の中継機能もできるようにした。
【考案の効果】
【０００５】受付台等を有効活用する事により、狭い場所でも効率的に情報機器が設置できると同時に、受付台内に不要なケーブルをまとめる事により、受付台の周囲がきれいにまとまり、受付台の拡張も簡単になり、保守管理が楽になります。
【考案を実施するための形態】
【０００６】調剤薬局等の情報機器を多く採用する店舗の受付台に採用できると同時に、机の横又は上に設置する構造にして机間を電源とＬＡＮ回線で接続することで、スッキリした配線が可能になります。
【図面の簡単な説明】
【図１】図はこの考案の概念図で、電源とＬＡＮ関連の接続方法を示した全体図です。
【図２】実際に試作した受付台の実体写真です。
【図１】
0003224501.tif 000003
【図２】
0003224501.tif 000004
【手続補正書】
【提出日】令和1年8月8日(2019.8.8)
【手続補正１】
【補正対象書類名】実用新案登録請求の範囲
【補正対象項目名】全文
【補正方法】変更
【補正の内容】
【実用新案登録請求の範囲】
【請求項１】
図１・２で示すように、受付台内部にＬＡＮハブ（Ｊ）をＬＡＮ回線状態が確認できる位置の受付台の後面（Ｈ）に配置可能にし、電源コンセント（Ｉ）を前面に配置出来るようにする事により、開閉可能な受付台の前面（Ｇ）より情報機器の接続面からの保守点検を可能にして、受付台（Ａ）に接続される電源（Ｃ）とＬＡＮ（Ｄ）を中継して拡張受付台（Ｂ）に電源（Ｅ）とＬＡＮ（Ｆ）を接続して拡張でき、受付台の内部だけでスッキリとした配線が可能にした、情報機器設置を簡単にして拡張可能にした受付台。
【手続補正書】
【提出日】令和1年10月3日(2019.10.3)
【手続補正１】
【補正対象書類名】実用新案登録請求の範囲
【補正対象項目名】全文
【補正方法】変更
【補正の内容】
【実用新案登録請求の範囲】
【請求項１】
受付台の内部後面（Ｈ）の回線状態が確認可能な位置にＬＡＮハブ（Ｊ）を配置できるようにすると同時に電源コンセント（Ｉ）を開閉可能な前面（Ｇ）に配置出来るようにし情報機器の保守点検を容易にして受付台内部だけに線材を収めスッキリとした配線を可能にした受付台。
(57)【要約】      （修正有）【課題】口腔内で結紮線をしっかりワイヤーの裏側に入れ込みたいときやワイヤーをしっかりブラケットの溝に入れ込みたいときに、滑らないように、先端がダイヤモンドコーテイングしてある歯科矯正用リガチャータッカーを提供する。【解決手段】歯科矯正用リガチャータッカー１の先端２に人工ダイヤモンドの粒子が接着されている。【選択図】図１
0003224512.tif 000002
【実用新案登録請求の範囲】
【請求項１】
歯科矯正用リガチャータッカー（１）の先端（２）に人工ダイヤモンドをコーティングしたダイヤモンドリガチャータッカー
【考案の詳細な説明】
【技術分野】
【０００１】この発明は、歯科矯正用器具であるリガチャータッカーの先端に人工ダイヤモンドの粒子をコーティングしたリガチャータッカーに関するものである。
【背景技術】
【０００２】従来のリガチャータッカーの先端は何もコーティングされてなかった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】これは次のような欠点があった。歯科矯正用リガチャータッカーは従来口腔内で使用するために、不安定な状況で使用すると、滑って口腔粘膜を傷つけ、患者に苦痛をあたえてしまうことがあった。本発明は以上のような欠点をなくすためになされたものである。
【課題を解決するための手段】
【０００５】歯科矯正用リガチャータッカー（１）の先端（２）に人工ダイヤモンドの粒子をコーティングする。本発明は、以上の構成よりなるダイヤモンドコーティングされた歯科矯正用リガチャータッカーである。
【考案の効果】
【０００６】口腔内で結紮線の結び目をワイヤーの裏に入れ込む際やしっかりワイヤーをブラケットの溝に入れ込む際にダイヤモンドの摩擦でしっかり圧接できることと、滑りにくいので、口腔内でも安全に使用できるようになる。
【図面の簡単な説明】
【０００７】
【図１】本発明の斜面図である。
【図２】本発明の断面図である。
【考案を実施するための形態】
【０００８】以下、本発明の実施するための形態について説明する。
歯科矯正用リガチャータッカー（１）の先端（２）に人工ダイヤモンドの粒子を接着する。本発明は以上のような構造である。
これを使用するときは、患者さんの口腔内で結紮線をしっかりワイヤーの裏側に入れ込みたいときやワイヤーをしっかりブラケットの溝に入れ込みたいときに使用する。
【符号の説明】
【０００９】１  リガチャータッカー
２  先端
【図１】
0003224512.tif 000003
【図２】
0003224512.tif 000004
(57)【要約】      （修正有）【課題】ヘルメット等で頭部を覆う際、電磁波でもある輻射熱や湿度等の軽減を図るシリカシートを提供する。【解決手段】ビーズ状のシリカｄを不織布ｆで平面に挟み込んだシリカシートをヘルメットなどの裏側部分に着脱可能に装着することにより、ヘルメット内への電磁波でもある輻射熱の吸収尚且つ湿気や臭いを吸収するようにした。【選択図】図６
0003224514.tif 000002
【実用新案登録請求の範囲】
【請求項１】
ヘルメットの裏側に着脱可能に装着するシリカシートであって、当該シリカはビーズ状の個体を、不織布で平面に挟みこまれている事を特徴とするシリカシート。
【請求項２】
前記シリカシートは、前記ヘルメットの裏側頭部に接する面に吸汗蒸散機能を持ったニット生地を貼りつけたことを特徴とする請求項１記載のシリカシート。
【請求項３】
前記シリカシートは、面ファスナー、両面テープまたはスナップボタンの何れかで、着脱可能にヘルメットに取り付けられる事を特徴とする請求項１ないし請求項２の何れか記載のシリカシート
【考案の詳細な説明】
【技術分野】
【０００１】  本考案は、ヘルメット等の裏側（内側）に取り付け、頭部の湿度上昇を抑制するシリカシートに関するものである。なお、本考案の「ヘルメット等」とは頭部を覆う帽子やインナーキャップ等を含むものである。
【背景技術】
【０００２】  従来のヘルメットは、発砲スチロールや発泡ウレタンなどを内側に貼りつけ、頭部を外部からの衝撃を防ぐようにしていた。  又汗を吸う生地や通気性の良い物を取り付けたもであった。
【先行技術文献】
【０００３】
【特許文献１】実用新案登録３１３０４７２号
【考案の概要】
【考案が解決しようとする課題】
【０００４】  従来のヘルメットは頭部を外部からの衝撃から防ぐ構造になっていた事から、密閉度が高く頭部を固定させていている構造で有るがゆえに、熱及び湿気が逃げない構造になっていた。
本考案は、前記の欠点に鑑みなされたもので、ヘルメット等の裏側（内側）に、着脱可能に装着することにより、電磁波である輻射熱による頭部への影響を防止でき、また頭部から出る湿気や臭いを吸収する、シリカシートを提供することを目的とする。
【課題を解決するための手段】
【０００５】  本考案の目的を達成するため、本考案のうち請求項１に記載の考案は、ヘルメット等の裏側に着脱可能に装着するシリカシートであって、当該シリカシートは、不織布と平面に均等に並べたビーズ状のシリカを積層したことを特徴とするシリカシートである。【０００６】  また、請求項２に記載の考案は、前記シリカシートは、前記ヘルメット等の裏側頭部に接する面に吸汗蒸散機能を持ったニット生地を貼りつけたことを特徴とする。【０００７】  さらに請求項３に記載の考案は、前記シリカシートは、面ファスナー、両面テープまたはスナップボタン何れかで、着脱可能にヘルメット等に取り付けられる事を特徴とする。
【考案の効果】
【０００８】  本考案のうち請求項１に記載の考案によれば、シリカシートをヘルメット等の裏側（内側）に装着することで、電磁波である輻射熱を吸収し外部からの熱の遮断が可能になり外気温度による頭部への負担が軽減できる効果ある。【０００９】  また、不織布と積層したビーズ状のシリカで汗などによる臭いを防止すると共に湿度を減少させることができ、生理的にも着用者の負担を軽減できる効果がある。【００１０】  また請求項２に記載の考案によれば、請求項１に記載の考案による効果に加え、シリカシートは、不織布でビーズ状のシリカを挟み込む構造のため、ビーズ状のシリカがこぼれ落ちることがない効果がある。【００１１】  さらに請求項３に記載の考案によれば、請求項１又は請求項２に記載の考案による効果に加え、シリカシートにおけるヘルメット等の裏側頭部に接する面に吸汗蒸散機能を持ったニット生地を貼りつけたので、さらに汗の吸収ができ、尚且つ湿度を減少させることができる効果がある。【００１２】  また請求項３に記載の考案によれば、請求項１又は請求項２のいずれか記載の考案による効果に加え、装着したシリカシートを新しいものに取り換えたりする際、容易に取り外す事の出来る効果がある。
【図面の簡単な説明】
【００１３】
【図１】本考案に係わるシリカシートを装着するヘルメットの一例として示す。
【図２】図１のヘルメットを裏返しにした状態を示す。
【図３】本考案に係わるシリカシートの実施例を示す。
【図４】図４に示すヘルメットのＸ―Ｘ’の断面を示す。
【図５】図３のシリカシートを図１のヘルメットの裏側に取り付けた状態を示す。
【図６】図３のシリカシートのＹ―Ｙ’の断面の一部を示す。
【考案を実施するための形態】
【実施例】
【００１４】  図１は本考案に係わるシリカシートｃを、装着するヘルメットａの一例として示す。【００１５】  図２はヘルメットａを裏返しにした状態を表し、ヘルメットに一対の面ファスナーでｂ１（一方）ｂ２（他方）の内ｂ１を取り付けた状態を示す。【００１６】  図３は、ヘルメットａに装着できる様に裁断された本考案に係わるシリカシートｃの実施例を表す。【００１７】  図４はヘルメットａのＸ―Ｘ’の断面図で、シリカシートｃを面ファスナーｂ１、ｂ２で固定した状態を示す。【００１８】  図５はヘルメットａの裏側に、シリカシートｃを、上記面ファスナーｂ１と対をなす面ファスナーｂ２によって取り付けた状態を示す。なお、接着剤を付着した面ファスナーｂ１、ｂ２を用いる代わりにスナップボタンや両面テープを用いてシリカシートｃをヘルメットａの内側に取り付ける事もできる。
これにより、シリカシートｃのヘルメットａへの取り付けが着脱可能となって、シリカシートｃを取りはずして、新しいシリカシートに交換したりすることが簡単にできる。【００１９】  図６のＹ−Ｙ’の断面図は、面ファスナーｂ２を取り付けたシリカシートｃの断面を示し、シリカシートｃは、シリカｄと不織布ｆで挟み込まれたシリカシートｃでなり、さらに頭部に接触する側に表面シート状の吸汗・蒸散機能を持ったニット素材ｅを貼りつけた構造であり、これによりさらに湿度を減少させることが出来る。シリカシートｃの厚さは５ｍｍ程度とすると良い。【００２０】  図６のシリカシートｃ中の不織布ｆは臭いと湿気を吸収するビーズ状のシリカｄの脱落を防止する物であり、シリカシートｃを面ファスナーｂ１、ｂ２などでヘルメットａの裏側に固定する事で、シリカシートｃの位置ずれや脱落を防止する。【００２２】  表１はヘルメットａの裏側に図３、図６に示すシリカシートｃを取り付け、ヘルメットの内側（頭部部分）の湿度を測定した結果である。シリカシートを取り付けた方は、湿度を大幅に抑えることができている。
【表１】
0003224514.tif 000003
【符号の説明】
【００２４】ａ  ヘルメット
ｂ１  面ファスナー
ｂ２  面ファスナー
ｃ  シリカシート
ｄ  シリカ
ｅ  ニット生地
ｆ  不織布
【図１】
0003224514.tif 000004
【図２】
0003224514.tif 000005
【図３】
0003224514.tif 000006
【図４】
0003224514.tif 000007
【図５】
0003224514.tif 000008
【図６】
0003224514.tif 000009
(57)【要約】      （修正有）【課題】弾性材や指圧では得られない様な、微妙で円やかな心身のマッサージ効果をもたらす脚まくらを提供する。【解決手段】径の異なる各種エアボール２の空気圧を適度に調整して、各種間の適正な数量バランスを保って、複数個のエアボールを袋体１に封入し、脚の間に挟んだり、脚・足の下に敷いたりして、従来の弾性材で成る足枕では得られない心身のほぐし・癒し効果を得ることが出来る。【選択図】図１
0003224513.tif 000002
【実用新案登録請求の範囲】
【請求項１】
横長矩形の袋体において、空気圧を調節したエアボールの大・中・小を、数量バランスを調整して袋体内に投入し、閉封又は結び閉じて円柱状に形成してある事を特徴とし、単なる弾力性材や低反発性材とは異なり、また指圧圧迫とも異なり、まろやかで微妙な、心身の中に浸みこんでほぐし癒すことを特徴とする脚まくら。
【考案の詳細な説明】
【技術分野】
【０００１】  本考案は、布団に寝る時に、足全体を支え、母の膝枕の様に癒してくれる足枕に関する。
【背景技術】
【０００２】  種々の抱き枕はよく知られている。電動足揉み器具も衆知である。敷布団に一体化された足載せ部も知られている。体重の押圧で下腿部をマッサージする下腿部押圧足枕も知られている（特開２００６−２７１７０４号公報）。
【先行技術文献】
【特許文献】
【０００３】
【特許文献１】特開２００６−２７１７０４  号公報
【考案の概要】
【考案が解決しようとする課題】
【０００４】  寝た状態で足の下に敷き置いて足を載せて高く保持するための足載せ台として使用し、足のだるさやむくみを解消せんとする用途目的に沿って、実に様々な形のものが足の首部に当てがって枕的に利用されている。
特許文献１に示される先行技術は、二つの弾性円柱体をヌンチャク型に接続した弾性構造体であり、正座状態で一方を足の下に敷き置き、他方を大腿部と脹脛の間に挟んで、アキレス腱や脹脛を指圧するのだが、腰を介して上半身とも連動する脚部全体をほぐし癒す効果に対しては非常に限定的である。
本考案は、布団に横たわっている時に、足枕に身体の姿勢を合わせるのでなく、寝ている時に不断に自然に変化する身体姿勢の動きに合わせて、上肢に心地良く調和して連動する下肢の、筋肉と神経をほぐす微妙な動きを、指圧や圧迫感なしにそのまま受け入れ包容して、身体全体をうっとり和ませてくれる、脚部の各所に自由に挟んで使用する脚枕を提供するものである。
【課題を解決するための手段】
【０００５】  伸縮性があってコットン・ワッフル調タオルの様な生地材で成る横長矩形の袋体において、空気圧を調節したエアボールの大・中・小を、数量バランスを調整して袋体内に投入し、閉封又は結び閉じて円柱状に形成してある。
以上を特徴とする脚まくらである。
【考案の効果】
【０００６】（イ）エアボールの硬さ（空気圧の高低）が自由に調整でき、袋体のサイズもエアボール各種の数量バランスも、組み合わせ次第で好みのニーズに合わせた多種類の製品姿態が可能である。
（ロ）使用において１個で使用するのも、複数個を同時に使用するのも、自由な使い方を使用者自身が不断に工夫を拡げることが出来る。
（ハ）足首の下でも、膝の下でも、脹脛の下でも、横寝で大腿や膝や脹脛や足首等の左右間に挟んでも、袋内における大中小のエアボール同士の押し合いへし合いで常に流動的なでこぼこや隙間によって、身体に伝わる非常に柔らかで微妙なタッチ感は、指圧的な圧迫感と違って、何とも言えない心地良さで包み込んでくれる。
（ニ）物品としての重量がとても軽いので、使用中も持ち運びも扱いやすい。
【図面の簡単な説明】
【０００７】
【図１】本考案を構成する２大要素である袋体とエアボールを別々に示した斜視図
【図２】本考案において、エアボールを投入する時のイメージ斜視図
【図３】本考案において、使用可能な状態で示した斜視図
【図４】本考案の使用中において、（ａ）仰向寝で脚を載せた状態、（ｂ）横寝で脚の間に挟んだ状態を示すイメージ斜視図
【考案を実施するための形態】
【０００８】  以下、本考案の実施の形態を説明する。
伸縮性があってコットン・ワッフルタオルの様な生地材で成る横長矩形の袋体（１）において、空気圧を調節したエアボール（２）の大・中・小を、数量バランスを調整して袋体（１）内に投入し、閉封又は結び閉じて円柱状に形成してある。
本考案は、以上の様な構成であり、以下、その具体的な使用方法例を説明する。
袋体（１）は、凡そ長さ×幅が４５ｃｍ×４０ｃｍ位が適等である。その中に詰めるエアボール（２）は、直径１０ｃｍ、７ｃｍ、５ｃｍ、４ｃｍの４種類ほどを用意する。其々のエアボール（２）の空気圧を調整して、足を乗せても痛く感じない程度の硬さで、弾力が残る様に配慮する。
この様に用意したエアボール（２）各種を各々３〜４個くらいずつバランス良く袋体（１）の中に詰める。袋の閉じ方は紐で縛り閉じるか、縫合して閉じるか、は問わない。この様に形成された「枕」体を脚まくら（Ａ）として使用するのである。
例えば、仰向寝の姿勢で膝下と足首辺の下に、左右合わせて４個の脚まくら（Ａ）を置いて、じっとしていても軽く脚（３）を動かしても、袋体（１）の中でエアボール同士が押し合いへし合いつつ空間を譲り合う微妙な円やかな動きが、脚（３）部を心地良くほぐしてくれる（図４ａ参照）。あるいは横寝姿勢で、膝の間に複数の脚まくら（Ａ）を挟み、上になった足（４）の首下に置けば（図４ｂ参照）、腰の負担も軽く、全身が非常にリラックスして深〜い眠りに誘われる。利用する人自身がその都度の心身の状態に応じて、自由な好みの使い方が自ずと工夫されていく。
【符号の説明】
【０００９】１  袋体，    ２  エアボール，    ３  脚，    ４  足，
Ｈ  脚まくら
【図１】
0003224513.tif 000003
【図２】
0003224513.tif 000004
【図３】
0003224513.tif 000005
【図４】
0003224513.tif 000006